(57)【要約】【課題】  表示能力に優れ、従来のドラム式パチンコ遊技装置にはない斬新な演出を行うことが可能な遊技機を提供すること。【解決手段】  少なくとも複数の変動図柄の変動表示及び停止表示が可能な表示装置を備えた遊技機であって、表示装置は、透光性を有する曲面状の投影パネルと、投影パネルに画像を投影することが可能な画像投影装置とを備えたことを特徴とする遊技機。【選択図】    図３
2005073911.tif 000002
【特許請求の範囲】
【請求項１】
少なくとも複数の変動図柄の変動表示及び停止表示が可能な表示装置を備えた遊技機であって、
前記表示装置は、透光性を有する曲面状の投影パネルと、当該投影パネルに画像を投影することが可能な画像投影装置とを備えたことを特徴とする遊技機。
【請求項２】
前記投影パネルを動かすための駆動装置を備えた請求項１に記載の遊技機。
【請求項３】
前記投影パネルは、フレネルレンズを含む請求項１又は２に記載の遊技機。
【発明の詳細な説明】
【技術分野】
【０００１】
本発明は、パチンコ遊技装置等の遊技機に関するものである。
【背景技術】
【０００２】
従来、パチンコ遊技装置として、所謂ドラム式の表示装置を備えたパチンコ遊技装置が知られている。このようなパチンコ遊技装置では、その外周面に複数の変動図柄が表示された複数の円形のドラムを各々回転させ、当該複数のドラムが停止したときに、遊技盤上に形成された表示窓を介して視認される上記変動図柄が、大当たりとなる組み合わせ（例えば、「７」−「７」−「７」等）であった場合には、大当たり状態が発生し、例えば、所定の遊技球を払い出す等、遊技者に所定の利益及び／又は有利な状態が提供される。
【０００３】
また、従来、曲面状の表示画面を有するＬＥＤ表示器等からなる表示装置を備えたパチンコ遊技装置や、表示部に表示された図柄を、凸形状を有する光ファイバーレンズの外周面に投影させるように構成された表示装置を備えたパチンコ遊技装置（例えば、特許文献１参照）が知られている。これらのパチンコ遊技装置では、ＬＥＤや光ファイバーを用いて前記表示画面や外周面に投影して表示するものであり、表示される図柄はドットマトリクス表示となっている。
【特許文献１】特開平８−１６４２５３号公報
【発明の開示】
【発明が解決しようとする課題】
【０００４】
しかしながら、上述した曲面状の表示画面を有するＬＥＤ表示器等からなる表示装置を備えたパチンコ遊技装置では、表示画面におけるドットが粗く、表示能力に劣るものであった。また、上述した光ファイバーレンズに画像を投影させるように構成されたパチンコ遊技装置も、光ファイバーの端部が表示装置の前方を向くように複数結束されて光ファイバーレンズが構成されているため、外周面におけるドットが粗く、表示能力に劣るものであった。すなわち、ＬＥＤや光ファイバーを用いて前記表示画面や外周面に投影して表示するものであるため、表示される図柄がドットマトリクス表示となってしまい、液晶などの表示品位に比べて見劣りするものとなっていた。しかも、このような表示品位が劣るといった問題は、近年のパチンコ遊技装置において、その表示装置として液晶表示装置を用いることが多くなり、その液晶表示装置で３Ｄ映像や緻密なアニメーションを表示することが一般的となってしまった現在では致命的な問題となる虞がある。
【０００５】
また、これらのパチンコ遊技装置では、例えば、リーチとなったときにドラムを振動させるというようなドラムを用いた演出を行うことができず、従来のドラム式のパチンコ遊技装置と比較して、演出能力に劣るものであった。
【０００６】
本発明は上述した問題に鑑みてなされたものであり、その目的は、表示能力に優れ、従来の疑似ドラム式パチンコ遊技装置にはない斬新な演出を行うことが可能な遊技機を提供することにある。
【課題を解決するための手段】
【０００７】
上述した課題を解決するために、本発明は、以下のようなものを提供する。
（１）少なくとも複数の変動図柄の変動表示及び停止表示が可能な表示装置を備えた遊技機であって、
上記表示装置は、透光性を有する曲面状の投影パネルと、当該投影パネルに画像を投影することが可能な画像投影装置とを備えたことを特徴とする遊技機。
【０００８】
さらに、本発明は、以下のようなものを提供する。
（２）  上記（１）に記載の遊技機であって、
上記投影パネルを動かすための駆動装置を備えたことを特徴とする。
【０００９】
さらに、本発明は、以下のようなものを提供する。
（３）  上記（１）又は（２）に記載の遊技機であって、
上記投影パネルは、フレネルレンズを含むことを特徴とする。
【発明の効果】
【００１０】
（１）の発明によれば、画像投影装置として、例えば、液晶プロジェクタや、ＣＲＴプロジェクタ等の解像度の高い画像投影装置を用いることにより、従来の曲面状の表示画面を有するＬＥＤ表示器からなる表示装置を備えたパチンコ遊技装置や、光ファイバーレンズに画像を投影させるようなパチンコ遊技装置とは異なり、滑らかで鮮明な画像を表示することが可能であり、表示能力に優れる表示装置とすることができる。
【００１１】
また、液晶パネルを曲面ディスプレイとする場合には、その構造上、製造が困難であるが、（１）の発明によれば、液晶パネルを備えた表示装置と比較して遜色がない表示能力を有する表示装置を簡単な構成により実現することができる。
【００１２】
さらに、例えば、遊技の進行状況に応じて、投影パネルに投影させる模様や色彩等を変化させたりすることも可能であり、従来のドラム式パチンコ遊技装置にはない斬新な演出を行うことが可能となる。
【００１３】
さらにまた、ドラムを回転させるための可動部が不要となるため、故障のおそれがある可動部の数を減少させることができる。
【００１４】
（２）の発明によれば、投影パネルを振動させたり、揺動させたりすることができるため、ドラム式パチンコ遊技装置におけるドラムを振動又は揺動させる演出と同等の演出効果を有する演出を行うことができ、演出能力に優れたものとなる。
【００１５】
（３）の発明によれば、フレネルレンズにより光を屈折させることが可能となるため、画像投影装置から発せられる光が、表示装置の前方に向かって進行するようにすることができ、画像投影装置からの光を有効利用することが可能となる。
【発明を実施するための最良の形態】
【００１６】
［第１実施形態］
本発明の実施形態について図面を用いて説明する。
図１は、実施形態に係るパチンコ遊技装置を模式的に示す正面図である。
パチンコ遊技装置１０には、本体枠１２と、本体枠１２に組み込まれた遊技盤１４と、遊技盤１４の前面に設けられた本体枠１２の窓枠１６と、窓枠１６の下側で本体枠１２の前面に設けられた上皿２０及び下皿２２と、下皿２２の右側に設けられた発射ハンドル２６とが配置されている。
【００１７】
また、遊技盤１４の前面には、複数の障害釘（図示せず）が打ち込まれている。なお、釘を打ち込むような構成とせず、遊技盤１４を樹脂素材で成形し、この樹脂素材の遊技盤１４に金属製の棒状体を遊技盤１４の前方向に突出するように植設する構成としてもよい。なお、本明細書において、パチンコ遊技装置１０とは、パチコン機をも含む概念である。
【００１８】
さらに、発射ハンドル２６は、本体枠１２に対して回動自在に設けられており、遊技者は発射ハンドル２６を操作することによりパチンコ遊技を進めることができるのである。発射ハンドル２６の裏側には、発射モータ２８が設けられている。発射ハンドル２６が遊技者によって時計回り方向へ回動操作されたときには、発射モータ２８に電力が供給され、上皿２０に貯蓄された遊技球が遊技盤１４に順次発射される。
【００１９】
発射された遊技球は、遊技盤１４上に設けられたガイドレール３０に案内されて遊技盤１４の上部に移動し、その後、上述した複数の障害釘との衝突によりその進行方向を変えながら遊技盤１４の下方に向かって落下する。
【００２０】
図２は、遊技盤１４を模式的に示す拡大正面図である。なお、上述した図１に示した構成要素と対応する構成要素には同一の符号を付した。また、図２は、上述した障害釘について省略したものを示した。
【００２１】
遊技盤１４の前面の略中央には、表示装置１００が設けられている。この表示装置１００は、窓枠１６の背面側に設けられた３つの投影パネル１０５（１０５ａ〜１０５ｃ）と、投影パネル１０５ａ〜１０５ｃの背面側に設けられた３つの画像投影装置１１０（１１０ａ〜１１０ｃ）とを備えており、画像投影装置１１０ａ〜１１０ｃから投射された画像が、投影パネル１０５ａ〜１０５ｃにそれぞれ投影されることにより、識別図柄である「７」や「●」等の変動図柄が、表示装置１００に画像が表示されるのである。３つの投影パネル１０５ａ〜１０５ｃは、上述したドラム式の表示装置における３つのドラムにそれぞれ対応するものである。また、投影パネル１０５には、変動図柄の他に、模様や色彩等が投影される。
【００２２】
なお図２には示していないが、投影パネル１０５ａと投影パネル１０５ｂとの間、及び、投影パネル１０５ｂと投影パネル１０５ｃとの間には、仕切板が設けられている。これにより、例えば、画像投影装置１１０ａから投射された画像は画像投影装置１１０ａの前方の投影パネル１０５ａにのみ投影され、他の投影パネル１０５ｂ又は投影パネル１０５ｃには投影されないというように、画像投影装置１１０から投射された画像が、画像投影装置１１０の前方の投影パネル１０５以外の投影パネル１０５に投影されてしまうことを防止することができる。また、この表示装置１００については、後に図面を用いて詳述することとする。
【００２３】
表示装置１００の上部の中央には、表示装置５２が設けられている。この表示装置１００の上部の中央には、表示装置５２が設けられている。この表示装置５２は、例えば、７セグメント表示器で構成されており、表示情報である普通図柄が、変動と停止とを繰り返すように可変表示される。表示装置１００の左右の側部には、球通過検出器５５ａ及び５５ｂが設けられている。この球通過検出器５５ａ又は５５ｂは、その近傍を遊技球が通過したことを検出したときには、上述した表示装置５２において、普通図柄の変動表示が開始され、所定の時間経過した後、普通図柄の変動表示を停止する。この普通図柄は、数字や記号等からなる情報であり、例えば、「０」から「９」までの数字や「☆」等の記号である。この普通図柄が所定の図柄、例えば、「７」となって停止して表示されたときには、後述する始動装置４４の左右の両側に設けられている可動片５８ａ及び５８ｂを駆動するためのソレノイド５７（図示せず）に電流を供給し、始動装置４４に遊技球が入りやすくなるように可動片５８ａ及び５８ｂを駆動し、始動装置４４を開放状態となるようにする。なお、始動装置４４を開放状態とした後、所定の時間が経過したときには、可動片を駆動し始動装置４４を閉鎖状態として、遊技球が入りにくくなるようにするのである。
【００２４】
図２に示すように、本発明では、上述した表示装置５２の左右の両側には、４つの保留ランプ３４ａ〜３４ｄが設けられていてもよい。保留ランプ３４（３４ａ〜３４ｄ）は、それぞれ１回の可変表示ゲームが保留されたことに伴い点灯するランプである。
【００２５】
表示装置５２の上部には一般入賞装置５０が設けられている。また、遊技盤１４には、遊技球の大入賞装置３８が設けられている。この大入賞装置３８の近傍には、シャッタ４０が開閉自在に設けられている。シャッタ４０は、大当たり状態が発生したときには、断続的に開放状態となるようにソレノイド４８（図示せず）により駆動される。
【００２６】
上述した表示装置１００の左右の両側には、特別入賞装置５４ａ、５４ｂが設けられている。さらに、表示装置１００の下側の左右の両側には、特別入賞装置５４ｃ、５４ｄが設けられている。また、遊技盤１４の左右の端部には、一般入賞装置５６ａ、５６ｂが設けられ、大入賞装置３８の左右の両側には、一般入賞装置５６ｃ、５６ｄが設けられている。
【００２７】
また、可変表示ゲームが開始されて表示装置１００に表示される複数、例えば、３つの識別情報である図柄を変動表示状態に移行する契機となる球検知センサ４２を有する始動装置４４が設けられている。上述した大入賞装置３８、始動装置４４、一般入賞装置５０、及び、一般入賞装置５６ａ〜５６ｄ、並びに、特別入賞装置５４ａ〜５４ｄに遊技球が入賞したときには、払出装置５９により、入賞装置の種類に応じて予め設定されている数の遊技球が下皿２２に払い出されるようになされている。
【００２８】
さらにまた、表示装置１００の左右の両側には、遊技球の経路を所定の方向に誘導するための転動誘導部材６０ａ及び６０ｂも設けられている。また、遊技盤１４の外側の上左側と上右側とには装飾ランプ３６ａ及び３６ｂが設けられている。
【００２９】
図３は、図２に示した遊技盤１４のＡ−Ａ線断面図である。なお、図３では、表示装置１００の近傍について拡大したものを示した。また、図３に示す各種装置を動作させる電気回路や配線等は図示していない。また、図３において、２点鎖線の矢印は、画像投影装置から発せられる光の動きを示す。
【００３０】
表示装置１００は、透光性を有する円弧板形状の投影パネル１０５と、投影パネル１０５の右側（図２においては、奥側）に設けられた画像投影装置１１０と、投影パネル１０５を円周方向に沿って移動可能に支持するとともに、画像投影装置１１０から発せられる光以外の外部からの光等が投影パネル１０５の背面側から投影パネル１０５に映り込むことを防止するための遮蔽部材１０１とを備え、遊技盤１４に形成された貫通孔に遮蔽部材１０１が嵌合されることにより、遊技盤１４に取り付けられている。
【００３１】
投影パネル１０５はフレネルレンズからなり、その表面形状の設計により、画像投影装置１１０から発せられ、投影パネル１０５に入射した光が、前方方向に進行するように、光を屈折させることができる。なお、フレネルレンズについては、後に図面（図４）を用いて詳述する。
この投影パネル１０５は、その円周方向に移動可能なように遮蔽部材１０１に取り付けられている。なお、投影パネル１０５は、その背面側に設けられた画像投影装置１１０が表示装置１００の正面から見て目立たないように着色等が施されていてもよい。
【００３２】
画像投影装置１１０は、例えば、液晶プロジェクタ等からなり、透過型カラー液晶表示器等の画像発生装置、ハロゲンランプ、球面鏡、コリメーションレンズ及び赤外線カットフィルタ等からなる光源、並びに、画像発生装置で発生した画像を投影するための投影レンズを備えている。
【００３３】
画像投影装置１１０から投射された画像は、投影パネル１０５に投影される。遊技者等は、この投影パネル１０５に投影された画像を、窓枠部１６を介して視認することができるのである。
【００３４】
投影パネル１０５に識別情報である変動図柄を順次投影させ、その変動図柄が下に移動するよう投影しつつ、変動図柄自身が変化するように投影させる。例えば、投影パネル１０５において、変動図柄の「７」を上から下へスクロールするように投影した後、変動図柄「●」を同様に上から下へスクロールするように投影するのである。このような態様で投影パネル１０５に変動図柄が投影されるように画像投影装置１１０を制御することにより、変動図柄の変動表示又は停止表示を行うことができ、ドラム式の表示装置におけるドラムの回転と同様の視覚的効果を得ることが可能となる。
【００３５】
この投影パネル１０５は、窓枠部１６を介して視認可能な部分が円弧板形状を有していることが望ましい。ドラム式パチンコ遊技装置におけるドラムの外周面の遊技者に視認される部分と同一の形状とし、上記円弧板形状を有する部分に画像を投影させることにより、上記ドラムの回転と同様の視覚的効果を得ることが可能となるからである。なお、この場合、窓枠部１６を介して視認可能な部分が円弧板形状を有していれば、他の部分の形状は特に限定されず、任意の形状とすることができる。また、上記他の部分を省略してもよい。
【００３６】
また、この投影パネル１０５の窓枠部１６を介して視認可能な部分の形状は、曲面状であれば、円弧板形状に限定されるものではなく、例えば、断面視Ｓ字形状であってもよい。
【００３７】
画像投影装置１１０としては、特に限定されるものではなく、上述した液晶プロジェクタの他に、小型のＣＲＴプロジェクタや、ＤＬＰプロジェクタ等を用いることが可能である。これらのプロジェクタを用いることにより、高画質な画像を表示装置に表示することが可能となり、表示能力に優れる表示装置とすることができる。
また、上述したようなプロジェクタは、その制御により、任意の画像を表示させることが可能である。そのため、例えば、投影パネルに投影させる変動図柄、模様、色彩等を、所定の条件で刻々と変化させるというような演出を行うことも可能であり、演出能力に優れた表示装置とすることができる。
なお、７セグメントのＬＥＤ表示器等は、投影パネル１０５に投影される画像のドットが粗くなってしまうため、本発明に用いる画像投影装置としてふさわしくない。
【００３８】
円弧板形状を有する投影パネル１０５の上側の端部は、遮蔽部材１０１に固定されたばね１０６に取り付けられており、下側の端部は、遮蔽部材１０１に固定された上記駆動装置であるソレノイド１０７のプランジャ１０８に当接している。なお、投影パネル１０５の下側の端部は、ソレノイド１０７のプランジャ１０８に固定されていてもよい。
【００３９】
図３では、ソレノイド１０７は消磁しており、また、ばね１０６は付勢されていない。ソレノイド１０７に電力が供給されてソレノイド１０７が励磁すると、ソレノイド１０７のプランジャ１０８が左上方向に押し出されるとともに、プランジャ１０８に押されて投影パネル１０５がその外周に沿って上方向に移動し、それにより、ばね１０６が付勢される。
【００４０】
そして、ソレノイド１０７が消磁すると、プランジャ１０８が引き下げられるとともに、プランジャ１０８が投影パネル１０５の下端と離れ、付勢されたばね１０６により、投影パネル１０５がその外周に沿って下側に移動する。その後、上述した機構に基づき、投影パネル１０５は、外周に沿って上下方向の往復運動を繰り返す。
【００４１】
そして、投影パネル１０５が往復運動を行うことにより、投影パネル１０５に投影された画像が振動して見える。このようにすることにより、ドラム式パチスロ遊技装置におけるドラムを振動させる演出と同等の演出効果を奏する演出を行うことができ、演出能力に優れるパチスロ遊技装置とすることができる。
【００４２】
図４は、投影パネル１０５を構成するフレネルレンズの構造と、フレネルレンズによる光の屈折を説明するための説明図である。なお、図中、２点鎖線の矢印は、光源からの光の動きを示す。
円弧板形状を有するフレネルレンズ１は、光源２側の面が鋸状の断面を有しており、その刃型部に入射した光源２からの光を屈折させることができる。この刃型部の傾きを変化させることにより、屈折角を調節することができる。
【００４３】
図４では、光源２からフレネルレンズ１の上端の刃型部に入射した光と、下端の刃型部に入射した光とは、共に屈折して、フレネルレンズの前方に向かって進行している。このように、光源２からフレネルレンズ１に入射した光が、全てフレネルレンズ１の前方に向かって進行するように光を屈折させることができるため、光源２から発せられる光を有効利用することが可能となり、フレネルレンズ１に投影された画像等を明るく見せることが可能となる。
【００４４】
図１〜図４を用いて説明したように、第１実施形態に係るパチンコ遊技装置１０では、円弧板形状を有する投影パネルに画像投影装置からの投影画像が投影されるため、当該投影された画像が画像投影装置の表示品位をそのまま低下させることが少なく表示できるから、表示品位がドットマトリクス表示に比べて優れた表示形態とすることができる。
また、画像投影装置として、解像度の高い液晶プロジェクタ等を用いることにより、高画質な画像を表示することが可能であり、表示能力に優れる表示装置とすることができる。
【００４５】
［第２実施形態］
第２実施形態に係るパチンコ遊技装置は、画像投影装置から発せられる光が、反射鏡で反射し、その反射光が投影パネルに入射することにより、投影パネルに画像投影装置からの画像が投影されるように構成されている。
【００４６】
第２実施形態に係るパチンコ遊技装置が備える各種の部材や装置等（図１、図２参照）の構成要件については、表示装置１００を除いて第１実施形態に係るパチンコ遊技装置と略同様であるので、以下においては、第２実施形態に係るパチンコ遊技装置が備える表示装置について説明することにする。
【００４７】
図５は、第２実施形態に係るパチンコ遊技装置が備える遊技盤の表示装置近傍の拡大断面図である。なお、図５において、図２に示した第１実施形態に係るパチンコ遊技装置１０の構成要件と同様の構成要件については、同一の符号を付した。また、同一の符号を付した構成要件については、その説明を省略する。
【００４８】
第２実施形態に係るパチンコ遊技装置の表示装置２００は、図３に示した遮蔽部材１０１とは異なる形状を有する遮蔽部材２０１を備えており、遮蔽部材２０１の内部の下側と上側とには、反射鏡２０５ａ、２０５ｂが、それぞれ平行に設置されている。また、反射鏡２０５ａの奥側（図５においては、右側）には、画像投影装置２１０が設けられている。
【００４９】
画像投影装置２１０から発せられた光は、まず、反射鏡２０５ａにより反射され、その反射光は、発射鏡２０５ｂにより再度発射される。そして、発射鏡２０５ｂによる反射光が、投影パネル１０５に入射する。このようにして、画像投影装置２１０からの画像が、投影パネル１０５に投影されるのである。
【００５０】
第２実施形態に係るパチンコ遊技装置では、画像投影装置から発せられる光が、反射鏡により反射されて投影パネルに入射する。そのため、反射鏡の数や、反射鏡が設けられる位置や角度等を選択することにより、パチンコ遊技装置の奥行きを抑えることが可能となる。なお、第１実施形態に係るパチンコ遊技装置では、画像投影装置が備える投影レンズにおいて、焦点距離が短い広角レンズを用いることにより、パチンコ遊技装置の奥行きを抑えることが可能である。
【００５１】
上述した例では、表示装置が備える投影パネルが、フレネルレンズからなる場合について説明したが、本発明において、投影パネルとしては特に限定されるものではなく、例えば、フレネルレンズ板とレンチキュラーレンズ板との２層構造であってもよく、レンチキュラーレンズ板のみからなるものであってもよい。
【００５２】
上述した例では、ソレノイドにより投影パネルを上下に振動させる場合について説明したが、投影パネルを振動させる方向としては、特に限定されるものではなく、前後又は左右に振動させてもよい。また、投影パネルを揺動させてもよい。
また、本発明において、投影パネルを動かすための駆動装置としては、特に限定されるものではなく、上述したソレノイド以外に、例えば、モータ等を挙げることができる。上記駆動装置として、モータを用いる場合、該モータの回転運動を直線往復運動に変換可能な機構等を適用することにより、投影パネルを振動又は揺動させることが可能である。
【００５３】
さらに、例えば、モータ等により駆動する振動発生器（バイブレータ）等を、画像投影装置に取り付け、当該画像投影装置を振動させることにより、画像投影装置から投射される画像自体を振動させることとしてもよい。
さらにまた、振動発生器を反射鏡（例えば、反射鏡２０５ａ、２０５ｂ）に取り付け、反射鏡により反射した画像を振動させることとしてもよい。
【００５４】
また、上述した例では、表示装置が３つの投影パネルを備えるとともに、この３つの投影パネルにそれぞれ画像を投影する３つの画像投影装置を備えている場合について説明したが、表示装置が備える投影パネル及び画像投影装置の数については、特に限定されるものではない。例えば、表示装置が１つの投影パネルと１つの画像投影装置とを備え、当該画像投影装置により３つの変動図柄等の画像を上記投影パネルに投影するように遊技機が構成されていてもよい。すなわち、変動図柄を含むドラム式パチンコ遊技装置における３つのドラムに対応する画像を１つの画像投影装置により投射し、１つの投影パネルに当該画像を投影させるのである。
【図面の簡単な説明】
【００５５】
【図１】第１実施形態に係るパチンコ遊技装置を模式的に示す正面図である。
【図２】図１に示したパチンコ遊技装置の遊技盤を模式的に示す拡大正面図である。
【図３】図２に示した遊技盤のＡ−Ａ線断面図である。
【図４】図３に示した投影パネルを構成するフレネルレンズの構造と、フレネルレンズによる光の屈折を説明するための説明図である。
【図５】第２実施形態に係るパチンコ遊技装置が備える遊技盤の表示装置近傍の拡大断面図である。
【符号の説明】
【００５６】
１０  パチンコ遊技装置
１４  遊技盤
３８  大入賞装置
４４  始動装置
１００、２００  表示装置
１０１  遮蔽部材
１０５（１０５ａ〜１０５ｃ）  投影パネル
１０６  ばね
１０７  ソレノイド
１１０（１１０ａ〜１１０ｃ）  画像投影装置
２０５ａ、２０５ｂ  反射鏡
【図１】
2005073911.tif 000003
【図２】
2005073911.tif 000004
【図３】
2005073911.tif 000005
【図４】
2005073911.tif 000006
【図５】
2005073911.tif 000007